(57)【要約】  【課題】１つ湯温検知センサで適温、沸き上げ、保温制御を行えるようにし、湯温制御装置を簡略化するとともに、部品点数を減らして安価な湯沸かし器の湯温制御装置を提供する。  【解決手段】  給水源から供給される水を湯タンク１１下部へ導入しヒータ１９の通電により湯を沸かす。湯タンク１１の上部に採湯口２１を設けるとともに、採湯口２１と略同一位置の湯タンク１１の表面に湯温センサ２０を設ける。湯温センサ２０により適温判断を行うとともに、採湯口２１より採湯が行われ、その採湯により減った分の水が湯タンク１１下部より導入された時は、その導入による湯温の低下を熱伝導により湯温センサ２０に伝え、この湯温低下が設定値より低下したことを湯温センサ２０が検知した場合はヒータ１９に通電して沸き上げ、保温制御を行う。  【選択図】図１
2005114189.tif 000002
【特許請求の範囲】
【請求項１】
給水源から供給される水を湯タンク下部へ導入しヒータの通電により湯を沸かす湯沸かし器の湯温制御装置であって、前記湯タンクの上部に採湯口を設け、この採湯口と略同一位置の湯タンクの表面に湯温センサを設け、この湯温センサにより適温判断を行うとともに、採湯口より採湯が行われ、その採湯により減った分の水が湯タンク下部より導入された時は、その導入による湯温の低下を熱伝導により前記湯温センサに伝え、この湯温低下が設定値より低下したことを湯温センサが検知した場合はヒータを通電して沸き上げ、保温制御を行うようにしたことを特徴とする湯沸かし器の湯温制御装置。
【発明の詳細な説明】
【技術分野】
【０００１】
本発明は、湯タンクの適温判定、湯タンク下部に水が導入され湯温低下生じた時の沸き上げ、保温制御を１つの湯温センサで行えるようにした湯沸かし器の湯温制御装置に関する。
【背景技術】
【０００２】
従来、例えば、自動給茶装置の湯沸かし器では、湯タンク下部から水道水を導入しヒータの通電により水を採湯に適する温度に沸かし、この適温に沸き上げられた湯を湯タンク上部に設けられた採湯口より給湯管を介して取り出し、茶漉し器に供給された茶葉に熱いお湯として注いでお茶として抽出するようになっている。
【０００３】
そして、このような自動給茶装置の湯沸かし器での湯温制御装置は、最初から湯タンク内の水全体を沸き上げる場合、その水全体が採湯に適する温度に沸き上げられたか否かを判定するために湯タンク上部表面の採湯口と略同一位置に設けられた湯温検知センサにより行うようになっている。
【０００４】
また、採湯がなされ、その採湯により減った分の水が湯タンク下部より供給された場合、その水の供給により生じる湯タンク下部側の水、中間の湯水混合層による湯温低下を湯タンク下部の表面に設けられた湯温検知センサにより検知し、その検知温度が設定温度より低下した時はヒータに通電して沸き上げ、保温を制御するようになっている（例えば、特許文献１参照）。
【特許文献１】特公平６−９１８６８号公報（第３頁、第１図）
【発明の開示】
【発明が解決しようとする課題】
【０００５】
しかしながら、このように、湯タンクの上部に設けられた湯温検知センサでお湯の適温を検知し、湯タンクの下部に設けられた湯温検知センサで湯タンク下部の水および中間の湯水混合層の湯温低下による沸き上げ、保温を制御するようにしているため、２つの湯温検知センサが必要となり、湯温制御が複雑となったり、部品点数が増すとともに、その湯温検知センサの取り付け作業が煩雑になり、高価格になる問題がある。
【０００６】
本発明は、このような点に鑑みなされたもので、１つ湯温検知センサで適温、沸き上げ、保温制御を行えるようにし、湯温制御装置を簡略化するとともに、部品点数を減らして安価な湯沸かし器の湯温制御装置を提供することを目的とする。
【課題を解決するための手段】
【０００７】
請求項１記載の湯沸かし器の湯温制御装置は、給水源から供給される水を湯タンク下部へ導入しヒータの通電により湯を沸かす湯沸かし器の湯温制御装置であって、前記湯タンクの上部に採湯口を設け、この採湯口と略同一位置の湯タンクの表面に湯温センサを設け、この湯温センサにより適温判断を行うとともに、採湯口より採湯が行われ、その採湯により減った分の水が湯タンク下部より導入された時は、その導入による湯温の低下を熱伝導により前記湯温センサに伝え、この湯温低下が設定値より低下したことを湯温センサが検知した場合はヒータを通電して沸き上げ、保温制御を行うようにしたものである。
【０００８】
そして、この構成では、１つ湯温検知センサで適温、沸き上げ、保温制御を行うようにしたため、湯温制御を簡略化するとともに、部品点数を減らしてコストダウンが図れる。
【発明の効果】
【０００９】
請求項１記載の湯沸かし器の湯温制御装置によれば、１つ湯温検知センサで適温、沸き上げ、保温制御を行うようにしたため、湯温制御を簡略化するとともに、部品点数を減らしてコストダウンが図れる。
【発明を実施するための最良の形態】
【００１０】
以下、本発明の一実施の形態を図面を参照して説明する。
【００１１】
図１に例えば、自動給茶装置の湯沸かし器の構成を示し、１１は湯タンクで、この湯タンク１１には、上方開口部を閉塞する蓋１２が設けられている。この蓋１２には湯タンク１１内の水位を制御する水位センサ１３が取り付けられている。１４は給水継手で一端側が水源となる水道に直結され給水電磁弁１５を有している。そして、この給水継手１４の他端側には順に接続ホース１６、給水パイプ１７が接続され、この給水パイプ１７の先端が蓋１２に保持されて水道水を湯タンク１１の上方から給水するようになっている。１８は整流板で、この整流板１８は湯タンク１１の内壁に上下方向に渡って設けられ給水パイプ１７の先端から給水される水道水を湯タンク１１の底部に導くようになっている。
【００１２】
１９はヒータで、このヒータ１９は湯タンク１１内の底部に設けられ湯タンク１１内に給水された水を加熱して沸き上げるものである。２０は湯温センサで、この湯温センサ２０は湯タンク１１上部の外壁表面に取り付けられ、採湯の適温判定、湯タンク１１の沸き上げ、保温制御を行うようになっている。２１は湯を取り出す採湯口で、この採湯口２１は湯温センサ２０の取り付け位置と略同一の位置に設けられ給茶装置２２を介してお茶を抽出するようになっている。この給茶装置２２は採湯口２１に接続され給湯電磁弁２３を有する給湯管２４、この給湯管２４の先端に設けられたシャワー２５、このシャワー２５の下方に設けられ茶葉を入れるための茶漉し器２６から構成されている。なお、２７は湯タンク１１のオーバーフローのためのオーバーフローホース。また、２８は湯タンク１１の湯水を排水するための排水ホースで排水コック２９を有している。
【００１３】
次に、本実施の形態の作用を説明する。
【００１４】
まず、図１において、給水電磁弁１５が開かれ接続ホース１６、給水パイプ１７を通じて給水パイプ１７の先端より水道水が湯タンク１１の上部より矢印のように整流板１８に案内されて湯タンク１１の底部から給水される。そして、水位センサ１３の作用により上限水位に保持される。
【００１５】
次に、ヒータ１９が通電されるとヒータ１９の発熱により湯タンク１１内の水が加熱され沸き上げが開始される。そして、湯温センサ２０の検知温度が採湯に適する設定温度になると湯タンク１１内の水は図２（ａ）のように全体がお湯となりヒータ１９の通電が停止され採湯が可能となる。
【００１６】
そして、給湯電磁弁２３が開かれ採湯口２１から給湯管２４を通じてシャワー２５から湯が分散されて茶漉し器２６の茶葉に注がれお茶として抽出される。
【００１７】
そして、この採湯に連動して採湯に供され減った分に相当する水が  接続ホース１６、給水パイプ１７、整流板１８を通じて湯タンク１１の底部から補給される。そして、この補給により湯タンク１１内は図２（ｂ）に示されるように下部が水、中間が湯水混合層、上がお湯の分布の層が形成される。
【００１８】
この時、湯温センサ２０が検知する湯温は湯タンク１１内の湯温は下部の水及び中間の湯水混合層による湯温低下を生じることになる。そして、この湯温低下を湯タンク１１の外表面に取り付けられた湯温センサ２０に熱伝導により伝え、この湯温センサ２０の検知温度が設定温度以下を検知するとヒータ１９に通電して湯タンク１１の水及び、中間の湯水混合層を設定温度になるまで沸き上げ、以後保温制御を行う。
【００１９】
なお、本実施例では湯タンク１１内下部に給水する方式を湯タンク１１の上方から整流板１８を介して説明したが、特許文献１の特公平６−９１８６８号公報に示されるように直接湯タンク１１から給水するようにしても良い。
【図面の簡単な説明】
【００２０】
【図１】本発明の一実施形態を示す湯沸かし器の温度制御装置の構成図ある。
【図２】同上、湯沸かし器の温度制御装置の湯タンク内の湯の温度の状態説明する説明図である。
【００２１】
１１  湯タンク
１４  給水継手
１５  給水電磁弁
１６  接続ホース
１７  給水パイプ
１８  整流板
１９  ヒータ
２０  湯温センサ
２１  採湯口
２３  給湯電磁弁
【図１】
2005114189.tif 000003
【図２】
2005114189.tif 000004